(57)【要約】【課題】組立時に破損することのない棒状化粧料容器の提供をその目的とする。【解決手段】棒状化粧料保持用の保持筒と、この保持筒が繰出自在に収容される内筒と、この内筒に相対回動自在に外嵌される回動操作用の外筒と備え、上記保持筒の周壁部分に、その下端面から延びる切欠き部を形成し、上記保持筒周壁部分の下部外周面にガイド突部を突設し、上記ガイド突部の外周面にらせん溝を刻設し、上記内筒の周壁部分に、その下端面から延びるように、上記ガイド突部が挿通状に係合して外部に突出する縦穴を形成し、上記内筒の周壁部分の縦穴より上に凸部を設け、上記外筒の内周面に、上記ガイド突部のらせん溝にら合するらせん溝を刻設するとともに、らせん溝より上部に上記内筒の凸部が係合される環状凹部を形成し、内筒の凸部が環状凹部へ回動自在に係合したという構成をとる。【選択図】図３
2004097766.tif 000002
【特許請求の範囲】
【請求項１】
棒状化粧料保持用の保持筒と、この保持筒が繰出自在に収容される内筒と、この内筒に相対回動自在に外嵌される回動操作用の外筒と備え、上記保持筒周壁部分の下部外周面にガイド突部を突設し、上記ガイド突部の外周面にらせん溝を刻設し、上記内筒の周壁部分に、その下端面から延びるように、上記ガイド突部が挿通状に係合して外部に突出する縦穴を形成し、上記内筒の周壁部分に凸部を設け、上記外筒の内周面に、上記ガイド突部のらせん溝にら合するらせん溝を刻設するとともに、らせん溝より上部に上記内筒の突部が係合される環状凹部を形成し、内筒の突部が環状凹部へ回動自在に係合した棒状化粧料容器。
【請求項２】
内筒の外周面に設けた弾性片へ上記内筒の凸部を突設し、凸部外周面を外筒の環状凹部の内周面に摺接させたことを特徴とする請求項１記載の棒状化粧料容器。
【発明の詳細な説明】
【０００１】
【発明の属する技術分野】
本発明は、口紅，リップクリーム，チーク等の棒状化粧料を容器から繰り出して使用する棒状化粧料容器に関するものである。
【０００２】
【従来の技術】
最近、口紅等の棒状化粧料の繰り出し容器として、その組立工程を簡素化したものが、特開平８−２７５８２２号公報に提案されている。この棒状化粧料繰り出し容器は、図５に示すように、棒状化粧料３０の下端部を保持する保持筒３１と、この保持筒３１を上下櫂動自在に内装するガイド筒３２と、このガイド筒３２に回動自在に外嵌し内周面に浅くて細かいローレットらせん溝３３ａを刻設したスリーブ３３（図６参照）と、上記ガイド筒３２の下部を止着する外筒３４と、この外筒３４に冠着するキャップ３５とを備えており、保持筒３１の外周面に突設したら合部３１ａを、ガイド筒３２に穿設したガイド溝３２ａに挿通して横側方に突出させることにより、スリーブ３３のローレットらせん溝３３ａにら合させている。図５において、３２ｂはガイド筒３２の下部外周面に形成した複数の凹部であり、スリーブ３３の下部内周面に形成した複数の凸部３３ｂに係合している。このものを使用する場合には、スリーブ３３と外筒３４とを相対回動させることにより、外筒３４に止着したガイド筒３２とスリーブ３３とを相対回動させ、この相対回動に伴い、保持筒３１を昇降させることを行う。これにより、ガイド筒３２の上端開口部から棒状化粧料３０を繰り出したり、繰り下げたりすることができる。このものでは、組立時に、保持筒３１のら合部３１ａとスリーブ３３のローレットらせん溝３３ａとを位置合わせすることなく、保持筒３１を内装したガイド筒３２にスリーブ３３を外嵌させるだけで、上記ら合部３１ａとローレットらせん溝３３ａとをら合させることができ、組立が簡単である。
【０００３】
【発明が解決しようとする課題】
しかしながら、このものは、保持筒３１とガイド筒３２とスリーブ３３と外筒３４とキャップ３５を備えており、組立時において、保持筒３１のら合部３１ａをガイド筒３２のガイド溝３２ａに係合する際に、保持筒３１を無理に撓ませなければならず、保持筒３１，ガイド筒３２が破損しやすい。また、ガイド筒３２の凹部３２ｂにスリーブ３３の凸部３３ｂを係合させる際に、スリーブ３３を無理に撓ませなければならず、ガイド筒３２，スリーブ３３が破損しやすい。
【０００４】
本発明は、このような事情に鑑みなされたもので、部品点数が少なく、組立時に破損することのない棒状化粧料容器の提供をその目的とする。
【０００５】
【課題を解決するための手段】
上記の目的を達成するため、本発明の棒状化粧料容器は、棒状化粧料保持用の保持筒と、この保持筒が繰出自在に収容される内筒と、この内筒に相対回動自在に外嵌される回動操作用の外筒と備え、上記保持筒周壁部分の下部外周面にガイド突部を突設し、上記ガイド突部の外周面にらせん溝を刻設し、上記内筒の周壁部分に、その下端面から延びるように、上記ガイド突部が挿通状に係合して外部に突出する縦穴を形成し、上記内筒の周壁部分の縦穴より上に凸部を設け、上記外筒の内周面に、上記ガイド突部のらせん溝にら合するらせん溝を刻設するとともに、らせん溝より上部に上記内筒の凸部が係合される環状凹部を形成し、内筒の凸部が環状凹部へ回動自在に係合したという構成をとる。
【０００６】
すなわち、本発明の棒状化粧料容器は、棒状化粧料保持用の保持筒と、この保持筒が繰出自在に収容される内筒と、この内筒が相対回動自在に載置される回動操作用の外筒とを備えている。上記保持筒の周壁部分の下部外周面に、外周面にらせん溝を刻設したガイド突部を突設している。また、上記内筒の周壁部分に、その下端面から延びるように、上記ガイド突部が挿通状に係合して外部に突出する縦穴を形成し、上記内筒の周壁部分の縦穴上部外周面に凸部を突設している。また、上記外筒の内周面に、上記ガイド突部のらせん溝にら合するらせん溝を刻設し、らせん溝より上部に上記内筒の凸部に回動自在に係合する環状凹部を形成している。このものでは、外筒を内筒に対して相対回動させると、相対回動する内筒に保持筒が連れ回りし、この連れ回りにより、保持筒のガイド突部が外筒のらせん溝にら合しながら、このらせん溝に沿って上下移動し、保持筒が昇降する（繰り出されたり、繰り下げられたりする）。この昇降に際し、保持筒の周壁部分に、その下端面から延びる切欠き部を形成しているため、ガイド突部のらせん溝と外筒のらせん溝とのら合が弾圧状に行われ、上記ガイド突部の外周面と外筒の内周面の間にがたつきが生じず、スムーズに回動する。このように、本発明の棒状化粧料容器は、保持筒と内筒と外筒とで構成されているため、径が細くなってスリム化が可能になる。しかも、内筒の周壁部分に穿設する縦穴を利用し、これを下端面から延ばしているため、内筒の周壁部分が広がりやすくガイド溝なる。したがって、組立時において、内筒を外筒に挿通する際に、内筒が撓みやすく、また、保持筒を内筒に挿通する際に、内筒が広がりやすく、保持筒，内筒や外筒が長期にわたって破損しない。
【０００７】
また、本発明において、上記内筒の凸部を内筒の外周面に設けた弾性片へ突設し、凸部外周面を外筒の環状凹部の内周面に摺接させた場合には、内筒の外周面と外筒の内周面との間にがたつきが生じず、さらにスムーズに回動する。この場合には、キャップと保持筒と内筒と外筒の４つの部材で構成されるため、部品点数が少なく、コストが安くなり、在庫管理等の管理面が簡素化する。
【０００８】
【発明の実施の形態】つぎに、本発明の実施の形態を図面にもとづいて詳しく説明する。
【０００９】
【実施例１】
図１は本発明の棒状化粧料容器の一実施の形態を示している。この棒状化粧料容器は、棒状化粧料５が保持されるＡＢＳ樹脂（アクリロニトリルブタジエンスチレン共重合体）製の保持筒１と、この保持筒１が繰り出し自在に収容されるＡＢＳ樹脂製の内筒２と、この内筒が相対回転自在に載置されるＡＢＳ樹脂製の有底筒状の外筒３と、外筒の上部開口部に嵌合した中袴６とこの中袴６に冠着されるＡＢＳ樹脂製のキャップ４とからなる。
【００１０】
より詳しく説明すると、上記保持筒１は円筒状に形成されており、図２に示すように、保持筒の中に、棒状化粧料５を支受する仕切り板１２が設けられている。上記保持筒の周壁部分の上記仕切り板１２より下側部分には、相対峙する位置に、一対の切欠き溝１３が上記保持筒周壁部分の下端面から垂直に立ち上げ形成されており、これら両切欠き溝１３で挟まれた部分が弾性片１４に形成されている。これら両弾性片１４には、その中央部分の下部外周面に、縦長形状（長方形の４隅が１／４円弧状に切欠かれている）の薄肉湾曲板体からなる一対のガイド突部１１が突設されており、これら両ガイド突部１１の表面には、後述する外筒３のらせん溝１７にら合する複数本のらせん溝１０が刻設されている。このような両ガイド突部１１は、上記各弾性片１４の作用により、外筒３のらせん溝１７に弾圧状にら合している。
【００１１】
上記内筒２は円筒状に形成されており、また、上記内筒２の周壁部分の相対峙する位置に、その下端面から垂直に延びて、上記ガイド突部１１が挿通状に係合して外部に突出する一対の縦穴１５が形成されており、これら一対の縦穴１５で挟まれた部分が弾性片２１に形成されており、このような両縦穴１５には、上記ガイド突部１１が挿通状に係合し両縦穴１５の外部に突出している。また、上記内筒の周壁部分の縦穴上部外周面には、環状凸部１６が突設されており、外筒３と中袴との間に形成された環状凹部２４に回転自在かつ引き抜き不能に係合されている。
【００１２】
上記外筒３は有底筒状に形成されており、その外筒内周面上部に設けられた環状段部と中袴６との間で環状凹部２４を形成し、環状凹部２４で上記内筒２の外周面に形成された環状凸部１６を回転自在かつ引き抜き不能に係合している。また、上記外筒３には、図１に示すように、その内周面に、上記両ガイド突部１１のらせん溝１０にら合する多数のらせん溝１７が刻設されている。上記らせん溝１７は、３１．７５ｍｍの間に３０条の右ねじを設けたものである。
【００１３】
上記キャップ４は、図２に示すように、有天円筒状に形成されており、上記中袴に対応する内周面の部分に、上記中袴６の突部１９に着脱自在に係合する凹部２０が形成されている。
【００１４】
このような棒状化粧料容器を、つぎのようにして組み立てることができる。すなわち、まず、内筒２の下端開口部に保持筒１の上端開口部を対面させた状態で内筒２の内部へ押し込む。これにより、保持筒１の両ガイド突部１１が内筒２の縦穴１５に係合する。ついで、内筒２を外筒３に組み入れる。その際、内筒の弾性片２１及び保持筒の弾性片１４が内方にたわみながら外筒へ入ってゆき、両縦穴１５から外部に突出した両ガイド突部１１のらせん溝１０と外筒３のらせん溝１７がら合する。つぎに、中袴６を外筒３に嵌合させる。そののち、中袴６の上側にキャップ４を冠着する。
【００１５】
このようにして組み立てられた棒状化粧料容器は、外筒３が内筒２に対して相対回動自在になっており、両者２，３を相対回動させると、内筒２に連れ回りする保持筒１が縦穴１５内を上下移動する。これにより、保持筒１が内筒２内を昇降する。このとき、保持筒１の両ガイド突部１１が外筒３のらせん溝１７に弾圧状にら合し、かつ、内筒２の環状凸部１６が外筒内周面に形成された環状凹部２４に摺接しているため、保持筒１の両ガイド突部１１と外筒３の内周面の間、および内筒２の環状凸部１６と外筒３の内周面の間に、がたつきがなくなり、スムーズに相対回動する。そして、不使用時には、保持筒１を下降させ、その状態でキャップ４を中袴６の上側に冠着させておく。また、使用時には、キャップ４を取り外し、外筒３を内筒２に対して相対的に回動させる。これにより、保持筒１が外筒３と連れ回りして上昇し、棒状化粧料５が内筒２の上端開口から突出して使用可能状態になる。
【００１６】
このように、上記実施の形態では、棒状化粧料容器が、保持筒１と内筒２と外筒３と中袴６とキャップ４とからなるため、外径が小さくなり、棒状化粧料容器がスリム化する。しかも、保持筒１の周壁部分に形成した弾性片１４にガイド突部１１を形成し、内筒２の周壁部分に形成した弾性片２１に環状凸部１６を形成しているため、組立時に、保持筒１を内筒２に押し込み、また、内筒２を外筒３に押し込んでも、弾性片２１が広がったり撓んだりするため、保持筒１，内筒２，外筒３が損傷することがなく、また、回動時にがたつくこともない。
【００１７】
【実施例２】
図３は本発明の棒状化粧料容器の一実施の形態を示している。この棒状化粧料容器は、棒状化粧料５が保持されるＡＢＳ樹脂（アクリロニトリルブタジエンスチレン共重合体）製の保持筒１と、この保持筒１が繰り出し自在に収容されるＡＢＳ樹脂製の内筒２と、この内筒が相対回転自在に載置されるアルミニウム製の有底筒状の外筒３と、この外筒に冠着されるアルミニウム製のキャップ４とからなる。
【００１８】
より詳しく説明すると、上記保持筒１は円筒状に形成されており、図４に示すように、保持筒の中に、棒状化粧料５を支受する仕切り板１２が設けられている。上記保持筒の周壁部分の上記仕切り板１２より下側部分には、相対峙する位置に、一対の切欠き溝１３が上記保持筒周壁部分の下端面から垂直に立ち上げ形成されており、これら両切欠き溝１３で挟まれた部分が弾性片１４に形成されている。これら両弾性片１４には、その中央部分の下部外周面に、縦長形状（長方形の４隅が１／４円弧状に切欠かれている）の薄肉湾曲板体からなる一対のガイド突部１１が突設されており、これら両ガイド突部１１の表面には、後述する外筒３のらせん溝１７にら合する複数本のらせん溝１０が刻設されている。このような両ガイド突部１１は、上記各弾性片１４の作用により、外筒３のらせん溝１７に弾圧状にら合している。
【００１９】
上記内筒２は円筒状に形成されており、また、上記内筒２の周壁部分の相対峙する位置に、その下端面から垂直に延びて、上記ガイド突部１１が挿通状に係合して外部に突出する一対の縦穴１５が形成されており、これら一対の縦穴１５で挟まれた部分が弾性片２１に形成されており、このような両縦穴１５には、上記ガイド突部１１が挿通状に係合し両縦穴１５の外部に突出している。また、上記内筒の周壁部分の縦穴上部外周面の相対峙する位置２箇所には、凵状の切り欠き溝２２に囲まれた弾性突片２３に凸部１６が突設されており、外筒３に設けられた環状凹部２４との間に回転自在かつ引き抜き不能に係合されている。
【００２０】
上記外筒３は有底筒状に形成されており、その上部内周面に設けられた環状凹部２４で、上記内筒２の外周面に形成された２箇所の凸部１６を回動自在に係合している。また、上記外筒３には、図３に示すように、その内周面に、上記両ガイド突部１１のらせん溝１０にら合する多数のらせん溝１７が刻設されている。上記らせん溝１７は、３１．７５ｍｍの間に３０条の右ねじを設けたものである。
【００２１】
上記キャップ４は、図４に示すように、有天円筒状に形成されており、上記外筒に対応する内周面の部分に、上記外筒３の突部１９に着脱自在に係合する凹部２０が形成されている。
【００２２】
このような棒状化粧料容器を、つぎのようにして組み立てることができる。すなわち、まず、内筒２の下端開口部に保持筒１の上端開口部を対面させた状態で内筒２の内部へ押し込む。これにより、保持筒の両ガイド突部１１が内筒２へ押し込まれ、内筒２の縦穴１５に係合する。ついで、内筒２を外筒３に組み入れる。その際、内筒の弾性片２１及び保持筒の弾性片１４が内方にたわみながら外筒へ入ってゆき、そして、弾性突片２３が内方にたわみながら外筒３の上端開口部内周面を通り、弾性突片２３に突設した凸部１６が外筒３の内周面に設けた環状凹部２４と回動自在に係合する。それと同時に、両縦穴１５から外部に突出した両ガイド突部１１のらせん溝１０と外筒３のらせん溝１７がら合する。そののち、外筒３の上側にキャップ４を冠着する。
【００２３】
このようにして組み立てられた棒状化粧料容器は、外筒３が内筒２に対して相対回動自在になっており、両者２，３を相対回動させると、内筒２に連れ回りする保持筒１が縦穴１５内を上下移動する。これにより、保持筒１が内筒２内を昇降する。このとき、保持筒１の両ガイド突部１１が外筒３のらせん溝１７に弾圧状にら合し、かつ、内筒２の弾性突片２３に突設した凸部１６が外筒３の内周面に設けた環状凹部２４に弾性的に摺接しているため、保持筒１の両ガイド突部１１と外筒３の内周面の間、および内筒２の両凸部１６と外筒３の内周面の間に、がたつきがなくなり、スムーズに相対回動する。そして、不使用時には、保持筒１を下降させ、その状態でキャップ４を外筒３の上側に冠着させておく。また、使用時には、キャップ４を取り外し、外筒３を内筒２に対して相対的に回動させる。これにより、保持筒１が外筒３と連れ回りして上昇し、棒状化粧料５が内筒２の上端開口から突出して使用可能状態になる。
【００２４】
このように、上記実施の形態では、棒状化粧料容器が、保持筒１と内筒２と外筒３とキャップ４とからなるため、部品点数が少なく在庫管理等の管理面が簡素化する上、外径が小さくなり、棒状化粧料容器がスリム化する。しかも、保持筒１を内筒２に挿入するさい、内筒の周壁部分に形成した弾性片２１が広がり、内筒２の周壁部分に形成した弾性片２３に凸部１６を形成しているため、組立時に、保持筒１を内筒２に押し込み、また、内筒２を外筒３に押し込んでも、弾性片２１が広がったり撓んだりするため、保持筒１，内筒２，外筒３が損傷することがなく、また、回動時にがたつくこともない。
【００２５】
【発明の効果】
以上のように、本発明の棒状化粧料容器によれば、保持筒と内筒と外筒とで構成されているため、部品点数が少なく、径が細くなってスリム化が可能になる。しかも、内筒の周壁部分に穿設する縦穴を利用し、これを下端面から延ばしているため、内筒の周壁部分が撓みやすくなる。したがって、組立時において、内筒を外筒に挿通する際に、内筒が撓みやすく、また、保持筒を内筒に挿通する際に、内筒が広がりやすく、保持筒，内筒や外筒が長期にわたって破損しない。また、本発明において、上記内筒の凸部１６の外周面を外筒３の環状凹部２４の内周面に摺接させた場合には、内筒の外周面と外筒の内周面との間にがたつきが生じず、スムーズに回動する。
【図面の簡単な説明】
【図１】実施例１の分解斜視図である。
【図２】実施例１の断面図である。
【図３】実施例２の分解斜視図である。
【図４】実施例２の断面図である。
【図５】従来例を示す断面図である。
【図６】従来例のスリーブを示す斜視図である。
【符号の説明】
１　保持筒
２　内筒
３　外筒
４　キャップ
６　中袴
１０　ガイド突部のらせん溝
１１　ガイド突部
１３　切欠き溝
１５　縦穴
１６　凸部
１７　らせん溝
２１　弾性片
２２　凵状の切り欠き
２３　弾性突片
２４　環状凹部
【図１】
2004097766.tif 000003
【図２】
2004097766.tif 000004
【図３】
2004097766.tif 000005
【図４】
2004097766.tif 000006
【図５】
2004097766.tif 000007
【図６】
2004097766.tif 000008